(57)【要約】【課題】マトリクス駆動方式の表示デバイスが設けられた平滑コンデンサの放電に伴う基板とドライバ回路との接続部及び基板とフレキシブルケーブルとの接続部の劣化を抑制することができる表示装置等を提供する。【解決手段】システムドライバ１００は、ＤＣ／ＤＣコンバータ１１１，１１２からＶＧＨ又はＶＧＬが出力されるとともに平滑コンデンサ６０ａ，６０ｂが接続される出力線１２０ａ，１２０ｂと、平滑コンデンサ６０ａ，６０ｂの電荷が放電される末端１２２Ａａ，１２２Ａｂと平滑コンデンサ６０ａ，６０ｂとの間の接続と非接続とを切り替える放電スイッチ１４０ａ，１４０ｂと、末端１２２Ａａ，１２２Ａｂと平滑コンデンサ６０ａ，６０ｂとの間に介在する電流制限回路１３０ａ，１３０ｂとを備える。【選択図】図３
2015210422.tif 000002
【特許請求の範囲】
【請求項１】
マトリクス駆動方式の表示デバイスが設けられた基板と、前記基板に設けられて前記表示デバイスを動作させるとともに前記基板に接続されたフレキシブルケーブルを介して平滑コンデンサと接続されるドライバ回路とを備える表示装置であって、
前記ドライバ回路は、
外部の電源から供給された電力に基づいて所定電圧を出力する電圧出力部と、
前記所定電圧が出力されるとともに前記平滑コンデンサが接続される出力線と、
前記出力線に接続されて前記平滑コンデンサの電荷が放電される放電部と、
前記放電部と前記平滑コンデンサとの間の接続と非接続とを切り替える切替部と、
前記放電部と前記平滑コンデンサとの間に介在し、前記切替部により前記平滑コンデンサと前記放電部とが接続された場合に前記平滑コンデンサと前記放電部との間に流れる放電電流の電流値を所定電流値以下にする電流制限回路と
を備える表示装置。
【請求項２】
前記電源は、アナログ電源とデジタル電源とからなり、
前記デジタル電源は、前記アナログ電源による電力供給が終了した後の所定のタイミングに電力供給を終了し、
前記切替部は、前記アナログ電源からの電力供給終了後であって前記デジタル電源からの電力供給終了前に前記放電部と前記平滑コンデンサとを接続し、
前記電流制限回路は、前記放電電流の電流値を前記所定のタイミング前に前記平滑コンデンサの放電が完了する電流値にする
請求項１に記載の表示装置。
【請求項３】
前記電圧出力部は、正の電圧を出力する第１電圧出力部と、負の電圧を出力する第２電圧出力部とからなり、
前記第１電圧出力部の出力線又は第２電圧出力部の出力線のいずれか一方を前記表示デバイスの複数の走査線の各々に接続する選択部を備え、
前記切替部は、前記複数の走査線の全てが前記第１電圧出力部の出力線に接続された場合に前記平滑コンデンサと前記放電部とを接続する
請求項１又は２に記載の表示装置。
【請求項４】
前記放電部は、接地されている
請求項１又は２に記載の表示装置。
【請求項５】
前記ドライバ回路は、異方性導電膜により前記基板上に装着される
請求項１又は２に記載の表示装置。
【請求項６】
前記フレキシブルケーブルは、異方性導電膜により前記基板上に装着される
請求項１又は２に記載の表示装置。
【請求項７】
マトリクス駆動方式の表示デバイスが設けられた基板に設けられて前記表示デバイスを動作させるとともに前記基板に接続されたフレキシブルケーブルを介して平滑コンデンサと接続されるドライバ回路であって、
外部の電源から供給された電力に基づいて所定電圧を出力する電圧出力部と、
前記所定電圧が出力されるとともに前記平滑コンデンサが接続される出力線と、
前記出力線に接続されて前記平滑コンデンサの電荷が放電される放電部と、
前記放電部と前記平滑コンデンサとの間の接続と非接続とを切り替える切替部と、
前記放電部と前記平滑コンデンサとの間に介在し、前記切替部により前記平滑コンデンサと前記放電部とが接続された場合に前記平滑コンデンサと前記放電部との間に流れる放電電流の電流値を所定電流値以下にする電流制限回路と
を備えるドライバ回路。
【発明の詳細な説明】
【技術分野】
【０００１】
本発明は、表示装置及びドライバ回路に関する。
【背景技術】
【０００２】
液晶表示デバイス等、マトリクス駆動方式の表示デバイスは、表示デバイスと別個に設けられたドライバ回路の制御下で動作する（例えば特許文献１）。ドライバ回路には、表示デバイスの走査線に対する信号を出力するゲートドライバ、表示デバイスの信号線に対する信号を出力するソースドライバ等がある。
【０００３】
ゲートドライバから信号として出力される電圧を平滑化するため、平滑コンデンサが設けられる。一般的に、平滑コンデンサの容量は１μＦ程度ある。このような大容量のコンデンサをドライバ回路内に組み込むことは困難である。このため、平滑コンデンサは、ゲートドライバと別個に設けられる。平滑コンデンサは、液晶パネル等の表示デバイスが設けられた基板に対してフレキシブルプリント基板（ＦＰＣ：Flexible  printed  circuits）を介して接続されたプリント基板（ＰＣＢ：printed  circuit  board）に設けられる。
【０００４】
平滑コンデンサに蓄積された電荷は、表示デバイスの動作終了に伴い放電される。ここで、平滑コンデンサの放電を自然放電に任せていると、表示デバイスの動作終了に係る処理を完了するまでの待ち時間が自然放電時間だけ延長されることになる。表示デバイスのより迅速な動作終了において、この延長は看過できない。そこで、平滑コンデンサを接地させるためのスイッチが別途設けられる。
【先行技術文献】
【特許文献】
【０００５】
【特許文献１】特開２０１２−８３５９９号公報
【発明の概要】
【発明が解決しようとする課題】
【０００６】
低コスト化等を目的として、上記のゲートドライバ及びソースドライバ等の複数のドライバ回路を統合したいという要求がある。しかしながら、単にドライバ回路を統合にした場合、平滑コンデンサの放電に伴い液晶パネルとドライバ回路との接続部及び液晶パネルとＦＰＣとの接続部がより劣化しやすくなるという問題が生じる。これは、ゲートドライバの機能とソースドライバの機能が統合されたドライバ回路の場合、平滑コンデンサを接地させるためのスイッチがこのドライバ回路内に設けられることになるためである。このため、平滑コンデンサからの放電に伴う過電流（数百ｍＡ）が液晶パネルとドライバ回路との接続部及び液晶パネルとＦＰＣとの接続部に流れる。この過電流は、液晶パネルとドライバ回路との接続部及び液晶パネルとＦＰＣとの接続部を発熱させる。この発熱により、これらの接続部が熱損傷する場合がある。仮に一度の放電で熱損傷に至らなくとも、表示デバイスの動作終了に伴い過電流が流れることが繰り返されることで、これらの接続部はより劣化しやすくなる。この問題は、液晶パネルに関する構成に限られない。マトリクス駆動方式の表示デバイスが設けられた基板の外部に設けられた平滑コンデンサを用いてドライバ回路内の出力電圧を平滑し、かつ、平滑コンデンサの放電のための放電経路が基板に装着されたドライバ回路と基板との接続部及び基板とフレキシブルケーブルとの接続部を経由する場合、同様の問題が生じる。
【０００７】
本発明は、上記の課題に鑑みてなされたもので、マトリクス駆動方式の表示デバイスが設けられた平滑コンデンサの放電に伴う基板とドライバ回路との接続部及び基板とフレキシブルケーブルとの接続部の劣化を抑制することができる表示装置及びドライバ回路を提供することを目的とする。
【課題を解決するための手段】
【０００８】
本発明の一態様は、マトリクス駆動方式の表示デバイスが設けられた基板と、前記基板に設けられて前記表示デバイスを動作させるとともに前記基板に接続されたフレキシブルケーブルを介して平滑コンデンサと接続されるドライバ回路とを備える表示装置であって、前記ドライバ回路は、外部の電源から供給された電力に基づいて所定電圧を出力する電圧出力部と、前記所定電圧が出力されるとともに前記平滑コンデンサが接続される出力線と、前記出力線に接続されて前記平滑コンデンサの電荷が放電される放電部と、前記放電部と前記平滑コンデンサとの間の接続と非接続とを切り替える切替部と、前記放電部と前記平滑コンデンサとの間に介在し、前記切替部により前記平滑コンデンサと前記放電部とが接続された場合に前記平滑コンデンサと前記放電部との間に流れる放電電流の電流値を所定電流値以下にする電流制限回路とを備える。
【０００９】
本発明の別の一態様は、マトリクス駆動方式の表示デバイスが設けられた基板に設けられて前記表示デバイスを動作させるとともに前記基板に接続されたフレキシブルケーブルを介して平滑コンデンサと接続されるドライバ回路であって、外部の電源から供給された電力に基づいて所定電圧を出力する電圧出力部と、前記所定電圧が出力されるとともに前記平滑コンデンサが接続される出力線と、前記出力線に接続されて前記平滑コンデンサの電荷が放電される放電部と、前記放電部と前記平滑コンデンサとの間の接続と非接続とを切り替える切替部と、前記放電部と前記平滑コンデンサとの間に介在し、前記切替部により前記平滑コンデンサと前記放電部とが接続された場合に前記平滑コンデンサと前記放電部との間に流れる放電電流の電流値を所定電流値以下にする電流制限回路とを備える。
【００１０】
さらに、他の一態様として、前記電源は、アナログ電源とデジタル電源とからなり、前記デジタル電源は、前記アナログ電源による電力供給が終了した後の所定のタイミングに電力供給を終了し、前記切替部は、前記アナログ電源からの電力供給終了後であって前記デジタル電源からの電力供給終了前に前記放電部と前記平滑コンデンサとを接続し、前記電流制限回路は、前記放電電流の電流値を前記所定のタイミング前に前記平滑コンデンサの放電が完了する電流値にしてもよい。
【００１１】
さらに、他の一態様として、前記電圧出力部は、正の電圧を出力する第１電圧出力部と、負の電圧を出力する第２電圧出力部とからなり、前記第１電圧出力部の出力線又は第２電圧出力部の出力線のいずれか一方を前記表示デバイスの複数の走査線の各々に接続する選択部を備え、前記切替部は、前記複数の走査線の全てが前記第１電圧出力部の出力線に接続された場合に前記平滑コンデンサと前記放電部とを接続してもよい。
【００１２】
さらに、他の一態様として、前記放電部は、接地されていてもよい。
【００１３】
さらに、他の一態様として、前記ドライバ回路は、異方性導電膜により前記基板上に装着されてもよい。
【００１４】
さらに、他の一態様として、前記フレキシブルケーブルは、異方性導電膜により前記基板上に装着されてもよい。
【図面の簡単な説明】
【００１５】
【図１】図１は、本発明の表示装置の一実施形態（第１実施例）の具体的構成例を示す図である。
【図２】図２は、アクティブマトリクス駆動方式の液晶表示デバイスの具体的構成例を示す図である。
【図３】図３は、システムドライバの詳細構成の一例を示す図である。
【図４】図４は、表示装置の動作に関する各種の電力供給のＯＮ／ＯＦＦシーケンスを示す図である。
【図５】図５は、第１実施例に対する比較例（比較例１）の構成を示す図である。
【図６】図６は、第１実施例に対する比較例（比較例２）の構成を示す図である。
【図７】図７は、本発明の表示装置の別の一実施形態（第２実施例）の具体的構成例を示す図である。
【図８】図８は、ＡＬＬＯＮ機能が使用される場合における各種の電力供給のＯＮ／ＯＦＦシーケンス及びＡＬＬＯＮ信号のハイ／ロウの一例を示す図である。
【図９】図９は、第２実施例に対する比較例の構成を示す図である。
【図１０】図１０は、本実施例に係る表示装置を適用する電子機器の一例を示す図である。
【図１１】図１１は、本実施例に係る表示装置を適用する電子機器の一例を示す図である。
【図１２】図１２は、本実施例に係る表示装置を適用する電子機器の一例を示す図である。
【図１３】図１３は、本実施例に係る表示装置を適用する電子機器の一例を示す図である。
【図１４】図１４は、本実施例に係る表示装置を適用する電子機器の一例を示す図である。
【図１５】図１５は、本実施例に係る表示装置を適用する電子機器の一例を示す図である。
【図１６】図１６は、本実施例に係る表示装置を適用する電子機器の一例を示す図である。
【発明を実施するための形態】
【００１６】
以下に、本発明の各実施の形態について、図面を参照しつつ説明する。なお、開示はあくまで一例にすぎず、当業者において、発明の主旨を保っての適宜変更について容易に想到し得るものについては、当然に本発明の範囲に含有されるものである。また、図面は説明をより明確にするため、実際の態様に比べ、各部の幅、厚さ、形状等について模式的に表される場合があるが、あくまで一例であって、本発明の解釈を限定するものではない。また、本明細書と各図において、既出の図に関して前述したものと同様の要素には、同一の符号を付して、詳細な説明を適宜省略することがある。
【００１７】
説明は以下の順序で行う。
１．第１実施例
２．第２実施例
３．適用例
４．その他
【００１８】
＜１．第１実施例＞
図１は、本発明の表示装置１の一実施形態（第１実施例）の具体的構成例を示す図である。図１に示すように、表示装置１は、液晶パネル１０と、ＦＰＣ４０と、ＰＣＢ５０とを備える。
【００１９】
液晶パネル１０は、例えば二つのガラス基板を張り合わせて形成されたパネルである。液晶パネル１０には、液晶表示デバイス２０と、ドライバ回路（システムドライバ１００）とが設けられている。液晶表示デバイス２０は、例えば、走査線ＧＣＬ、信号線ＳＧＬ及び駆動電極ＣＯＭＬの各々に個別に供給される信号に応じて動作するアクティブマトリクス駆動方式の表示デバイスである。システムドライバ１００は、例えば異方性導電膜（ＡＣＦ：Anisotropic  Conductive  Film）を用いたチップオングラス（ＣＯＧ：Chip  On  Glass）により液晶パネル１０に装着される集積回路である。
【００２０】
ＦＰＣ４０は、液晶パネル１０に形成された配線とＰＣＢ５０に形成された配線とを電気的に接続する。以下、電気的な接続を単に「接続」と記載することがある。ＦＰＣ４０の一端側は、例えばＡＣＦを用いたフィルムオングラス（ＦＯＧ：Film  On  Glass）により液晶パネル１０に装着される。ＦＰＣ４０の他端側は、例えばＰＣＢ５０に設けられたコネクタ５２に物理的及び電気的に接続される。なお、第１実施例では、液晶パネル１０とＰＣＢ５０との接続にＦＰＣ４０が用いられているが、これはフレキシブルケーブルの一例であってこれに限られるものでなく、適宜変更可能である。例えば、ＦＰＣ４０に代えてフレキシブルフラットケーブル（ＦＦＣ）が採用されてもよい。
【００２１】
ＰＣＢ５０は、電力供給線５１ａ，５１ｂを有する。電力供給線５１ａは、ＰＣＢ５０に接続された外部のアナログ電源（ＡＶＤＤ）の電力をシステムドライバ１００に供給するための配線である。電力供給線５１ｂは、ＰＣＢ５０に接続された外部のデジタル電源（ＤＶＤＤ）の電力をシステムドライバ１００に供給するための配線である。ＡＶＤＤ及びＤＶＤＤは、例えばコネクタ５３を介してＰＣＢ５０に接続される。電力供給線５１ａ，５１ｂは、コネクタ５３から延設されている。また、ＰＣＢ５０には、平滑コンデンサ６０ａ，６０ｂが設けられている。平滑コンデンサ６０ａは、システムドライバ１００に内蔵されたＤＣ／ＤＣコンバータ１１１の出力線１２０ａ（図３参照）に接続されている。平滑コンデンサ６０ｂは、システムドライバ１００に内蔵されたＤＣ／ＤＣコンバータ１１２の出力線１２０ｂ（図３参照）に接続されている。
【００２２】
図１に示すように、電力供給線５１ａ，５１ｂとシステムドライバ１００とを接続する配線は、ＦＰＣ４０を介する。また、平滑コンデンサ６０ａ，６０ｂとシステムドライバ１００とを接続する配線は、ＦＰＣ４０を介する。このように、ドライバ回路（システムドライバ１００）は、マトリクス駆動方式の表示デバイス（液晶表示デバイス２０）が設けられた基板（液晶パネル１０）に設けられて表示デバイスを動作させるとともに基板に接続されたフレキシブルケーブル（ＦＰＣ４０）を介して平滑コンデンサ６０ａ，６０ｂと接続される。
【００２３】
図２は、液晶表示デバイス２０の具体的構成例を示す図である。液晶表示デバイス２０は、複数の画素Ｐｉｘを有する。画素Ｐｉｘの各々は、行列状に配置された複数の副画素ＳＰｉｘを有する。副画素ＳＰｉｘは、ＴＦＴ素子Ｔｒ及び液晶素子ＬＣを備えている。ＴＦＴ素子Ｔｒは、薄膜トランジスタにより構成されるものであり、この例では、ｎチャネルのＭＯＳ（Metal  Oxide  Semiconductor）型のＴＦＴで構成されている。ＴＦＴ素子Ｔｒのソース又はドレインの一方は信号線ＳＧＬに接続され、ゲートは走査線ＧＣＬに接続され、ソース又はドレインの他方は液晶素子ＬＣの一端に接続されている。液晶素子ＬＣは、例えば、一端がＴＦＴ素子Ｔｒのドレインに接続され、他端が駆動電極ＣＯＭＬに接続されている。
【００２４】
図２に示す副画素ＳＰｉｘは、走査線ＧＣＬにより、液晶表示デバイス２０の同じ行に属する他の副画素ＳＰｉｘと互いに接続されている。走査線ＧＣＬは、システムドライバ１００と接続され、システムドライバ１００より走査信号Ｖｓｃａｎが供給される。また、副画素ＳＰｉｘは、信号線ＳＧＬにより、液晶表示デバイス２０の同じ列に属する他の副画素ＳＰｉｘと互いに接続されている。信号線ＳＧＬは、システムドライバ１００と接続され、システムドライバ１００より画素信号Ｖｐｉｘが供給される。さらに、副画素ＳＰｉｘは、駆動電極ＣＯＭＬにより、液晶表示デバイス２０の同じ行に属する他の副画素ＳＰｉｘと互いに接続されている。駆動電極ＣＯＭＬは、システムドライバ１００と接続され、システムドライバ１００より駆動信号Ｖｃｏｍが供給される。なお、図２以外で図示する液晶表示デバイス２０及び液晶表示デバイス２０に接続されるシステムドライバ１００においては、走査線ＧＣＬについてのみ図示し、信号線ＳＧＬ及び駆動電極ＣＯＭＬの図示を省略している。
【００２５】
図３は、システムドライバ１００の詳細構成の一例を示す図である。図３に示すように、システムドライバ１００は、例えば、ＤＣ／ＤＣコンバータ１１１，１１２と、電流制限回路１３０ａ，１３０ｂと、放電スイッチ１４０ａ，１４０ｂと、スイッチ制御回路１５０とを備える。システムドライバ１００は、例えば液晶表示デバイス２０の各画素の信号線ＳＧＬに対する信号（画素信号Ｖｐｉｘ）の出力を行う機能（ソースドライバ機能）、走査信号Ｖｓｃａｎにより液晶表示デバイス２０の複数の走査線ＧＣＬの各々のＯＮ／ＯＦＦを切り替える機能（ゲートドライバ機能）及び駆動電極ＣＯＭＬに駆動信号Ｖｃｏｍを供給する機能を具備する１チップシステムドライバ１００ＩＣ（集積回路）である。図３では、これらの機能のうち、特にゲートドライバ機能に関する構成について図示し、他の機能に関する図示は省略している。ＤＣ／ＤＣコンバータ１１１，１１２、電流制限回路１３０ａ，１３０ｂ、放電スイッチ１４０ａ，１４０ｂ及びスイッチ制御回路１５０等の構成は、システムドライバ１００内に実装される。
【００２６】
ＤＣ／ＤＣコンバータ１１１，１１２は、例えばチャージポンプ回路である。ＤＣ／ＤＣコンバータ１１１，１１２は、ＰＣＢ５０に接続された外部のアナログ電源（ＡＶＤＤ）及びデジタル電源（ＤＶＤＤ）から供給される電力に基づいて、それぞれ異なる二つの電圧（ＶＧＨ、ＶＧＬ）を出力する。具体的には、ＶＧＨは例えば３０Ｖであり、ＶＧＬは例えば−１０Ｖである。このように、ＤＣ／ＤＣコンバータ１１１，１１２の各々は、外部の電源から供給された電力に基づいて所定電圧を出力する電圧出力部として機能する。また、電圧出力部は、正の電圧（ＶＧＨ）を出力する第１電圧出力部と、負の電圧（ＶＧＬ）を出力する第２電圧出力部とからなる。ここで、電圧ＶＧＨが走査信号Ｖｓｃａｎとして機能する。また、電圧ＶＧＬが、走査信号ＶｓｃａｎのＯＦＦ信号として機能する。なお、システムドライバ１００内のＤＣ／ＤＣコンバータ１１１，１１２とＡＶＤＤ及びＤＶＤＤとは、液晶パネル１０とシステムドライバ１００との接続部１１ａ，１１ｂ及び液晶パネル１０とＦＰＣ４０との接続部１２ａ，１２ｂを経由して接続される。なお、接続部１１ａは、システムドライバ１００内のＤＣ／ＤＣコンバータ１１１，１１２とＡＶＤＤとの接続部である。接続部１１ｂは、システムドライバ１００内のＤＣ／ＤＣコンバータ１１１，１１２とＤＶＤＤとの接続部である。接続部１２ａは、ＡＶＤＤの電力供給線５１ａと接続部１１ａに接続された液晶パネル１０の配線との接続部である。接続部１２ｂは、ＤＶＤＤの電力供給線５１ｂと接続部１１ｂに接続された液晶パネル１０の配線との接続部である。
【００２７】
ＤＣ／ＤＣコンバータ１１１，１１２からの出力線１２０ａ，１２０ｂは、液晶表示デバイス２０の走査線ＧＣＬに接続される。出力線１２０ａ，１２０ｂには、ＰＣＢ５０に設けられた平滑コンデンサ６０ａ，６０ｂが個別に接続されている。すなわち、出力線１２０ａ，１２０ｂには、所定電圧が出力されるとともに平滑コンデンサ６０ａ，６０ｂが接続される。平滑コンデンサ６０ａは、出力線１２０ａから分岐した二つの分岐線のうち一方の分岐線１２１ａに接続される。平滑コンデンサ６０ｂは、出力線１２０ｂから分岐した二つの分岐線のうち一方の分岐線１２１ｂに接続される。ここで、出力線１２０ａ，１２０ｂと平滑コンデンサ６０ａ，６０ｂとは、液晶パネル１０とシステムドライバ１００との接続部（第１接続部１３ａ，１３ｂ）及び液晶パネル１０とＦＰＣ４０との接続部（第２接続部１４ａ，１４ｂ）を経由して接続される。なお、第１接続部１３ａ及び第２接続部１４ａは、ＶＧＨの出力線１２０ａに接続される液晶パネル１０とシステムドライバ１００との接続部及び液晶パネル１０とＦＰＣ４０との接続部である。また、第１接続部１３ｂ及び第２接続部１４ｂは、ＶＧＬの出力線１２０ｂに接続される液晶パネル１０とシステムドライバ１００との接続部及び液晶パネル１０とＦＰＣ４０との接続部である。
【００２８】
出力線１２０ａから分岐した二つの分岐線のうち一方の分岐線１２１ａでない他方の分岐線１２２ａには、電流制限回路１３０ａ及び放電スイッチ１４０ａが一つずつ設けられる。出力線１２０ｂから分岐した二つの分岐線のうち一方の分岐線１２１ｂでない他方の分岐線１２２ｂには、電流制限回路１３０ｂ及び放電スイッチ１４０ｂが一つずつ設けられる。電流制限回路１３０ａ，１３０ｂは、他方の分岐線１２２ａ，１２２ｂに設けられる。具体的には、電流制限回路１３０ａ，１３０ｂは、例えば所定の電気抵抗値（例えば１０ｋΩ）を有する電気抵抗である。電気抵抗の具体的実装形態は任意であり、例えばポリシリコン抵抗であってもよいし、拡散抵抗であってもよい。電流制限回路１３０ａ，１３０ｂが設けられた他方の分岐線１２２ａ，１２２ｂの末端１２２Ａａ，１２２Ａｂは、接地されている。なお、末端１２２Ａａは、他方の分岐線１２２ａの末端である。末端１２２Ａｂは、他方の分岐線１２２ｂの末端である。
【００２９】
放電スイッチ１４０ａ，１４０ｂは、他方の分岐線１２２ａ，１２２ｂにおいて、電流制限回路１３０ａ，１３０ｂを挟んで末端１２２Ａａ，１２２Ａｂの反対側に設けられる。放電スイッチ１４０ａ，１４０ｂは、電流制限回路１３０ａ，１３０ｂが設けられた他方の分岐線１２２ａ，１２２ｂの末端１２２Ａａ，１２２Ａｂ側と平滑コンデンサ６０ａ，６０ｂとの接続と非接続とを切り替えるスイッチである。放電スイッチ１４０ａ，１４０ｂは、スイッチ制御回路１５０の制御下で動作する。
【００３０】
スイッチ制御回路１５０は、ＡＶＤＤの供給終了を検知して信号ＳＷ１を放電スイッチ１４０ａ，１４０ｂに出力する。具体的には、スイッチ制御回路１５０は、例えば図３に示すように、ＤＣ／ＤＣコンバータ１１１にＡＶＤＤを供給する配線から分岐された配線と接続される。スイッチ制御回路１５０は、この配線を介したＡＶＤＤの供給の終了に応じて信号ＳＷ１を放電スイッチ１４０ａ，１４０ｂに出力する。
【００３１】
次に、図４を参照して、第１実施例における各種の電力供給のＯＮ／ＯＦＦシーケンスについて説明する。図４は、表示装置の動作に関する各種の電力供給のＯＮ／ＯＦＦシーケンスを示す図である。図４に示すように、表示装置１の動作の開始に伴い、ＤＶＤＤ、ＡＶＤＤ、ＶＧＨ及びＶＧＬの順に電力供給が開始される。また、表示装置１の動作の終了に伴い、ＡＶＤＤ、ＶＧＨ及びＶＧＬ、ＤＶＤＤの順に電力供給が終了される。この順番が守られない場合、複数種類のドライバ回路を構成するトランジスタにラッチアップが生じ、ラッチアップによる過電流でドライバ回路及び液晶表示デバイス２０に破損が生じることがある。なお、ＤＶＤＤ、ＡＶＤＤの供給開始及び終了は、外部の電源を制御する図示しない制御部の制御下で行われる。ＶＧＨ及びＶＧＬの供給開始は、ＤＣ／ＤＣコンバータ１１１，１１２に対するＡＶＤＤの供給開始後に行われる。ＶＧＨ及びＶＧＬの供給開始に伴い、ＶＧＨ及びＶＧＬを供給するＤＣ／ＤＣコンバータ１１１，１１２の各々の出力線１２０ａ，１２０ｂに接続された平滑コンデンサ６０ａ，６０ｂに電荷が蓄積される。
【００３２】
ＶＧＨ及びＶＧＬの供給終了は、ＤＣ／ＤＣコンバータ１１１，１１２に対するＡＶＤＤの供給終了に伴い開始される。このとき、ＡＶＤＤの供給終了に伴い、スイッチ制御回路１５０は、信号ＳＷ１を出力する。放電スイッチ１４０ａ，１４０ｂは、信号ＳＷ１に応じて電流制限回路１３０ａ，１３０ｂが設けられた他方の分岐線１２２ａ，１２２ｂの末端１２２Ａａ，１２２Ａｂ側と平滑コンデンサ６０ａ，６０ｂとを接続する。これにより、平滑コンデンサ６０ａ，６０ｂに蓄積された電荷に応じた電流（放電電流）が他方の分岐線１２２ａ，１２２ｂの末端１２２Ａａ，１２２Ａｂ（接地）と平滑コンデンサ６０ａ，６０ｂとの間の配線に流れる。このように、接地された他方の分岐線１２２ａ，１２２ｂの末端１２２Ａａ，１２２Ａｂは、平滑コンデンサ６０ａ，６０ｂが接続された電圧出力部（ＤＣ／ＤＣコンバータ１１１，１１２）からの出力線１２０ａ，１２０ｂに接続されて平滑コンデンサ６０ａ，６０ｂの電荷が放電される放電部として機能する。また、放電スイッチ１４０ａ，１４０ｂは、放電部と平滑コンデンサ６０ａ，６０ｂとの間の接続状態を切り替える切替部として機能する。また、切替部として機能する放電スイッチ１４０ａ，１４０ｂは、アナログ電源（ＡＶＤＤ）からの電力供給終了後であってデジタル電源（ＤＶＤＤ）からの電力供給終了前に放電部と平滑コンデンサ６０ａ，６０ｂとを接続する。
【００３３】
上記のように、他方の分岐線１２２ａ，１２２ｂの末端１２２Ａａ，１２２Ａｂ（接地）と平滑コンデンサ６０ａ，６０ｂとの間の配線には電流制限回路１３０ａ，１３０ｂが設けられている。このため、電流制限回路１３０ａ，１３０ｂにより放電電流の電流値が所定電流値以下に抑えられる。具体的には、例えば出力電圧が３０ＶであるＶＧＨの出力線１２０ａに設けられた平滑コンデンサ６０ａ，６０ｂの容量が１μＦであり、電流制限回路１３０ａ，１３０ｂの電気抵抗値が１０ｋΩである場合、放電電流は最大３ｍＡ程度に抑えられる。この程度の電流であれば、第１接続部１３ａ，１３ｂ及び第２接続部１４ａ，１４ｂに熱損傷を生じさせるほどの発熱に至らない。このため、平滑コンデンサ６０ａ，６０ｂの放電に伴う第１接続部１３ａ，１３ｂ及び第２接続部１４ａ，１４ｂの劣化を抑制することができる。このように、電流制限回路１３０ａ，１３０ｂは、放電部と平滑コンデンサ６０ａ，６０ｂとの間に介在し、切替部により平滑コンデンサ６０ａ，６０ｂと放電部とが接続された場合に平滑コンデンサ６０ａ，６０ｂと放電部との間に流れる放電電流の電流値を所定電流値（例えば３ｍＡ）以下にする。なお、第１実施例において、放電スイッチ１４０ａ，１４０ｂは同時に接続されるが、これは放電スイッチ１４０ａ，１４０ｂの動作制御の一例であってこれに限られるものでない。
【００３４】
また、第１実施例では、デジタル電源（ＤＶＤＤ）は、アナログ電源（ＡＶＤＤ）による電力供給が終了した後の所定のタイミングに電力供給を終了する。言い換えれば、ＡＶＤＤ及びＤＶＤＤの供給終了タイミングはオープンループ制御であり、ＶＧＨ及びＶＧＬの供給終了タイミングのフィードバックを受けない。電流制限回路１３０ａ，１３０ｂは、ＡＶＤＤの供給終了後、ＤＶＤＤの供給が終了する所定のタイミング前に平滑コンデンサ６０ａ，６０ｂからの放電が完了するように電流を制限する。すなわち、電流制限回路１３０ａ，１３０ｂは、放電電流の電流値を所定のタイミング前に平滑コンデンサ６０ａ，６０ｂの放電が完了する電流値にする。具体的には、ＶＧＨの出力線１２０ａ及びＶＧＬの出力線１２０ｂに設けられた平滑コンデンサ６０ａ，６０ｂの電荷は、時定数１０ｍｓｅｃ（＝１０ｋΩ×１μＦ）で放電される。このため、電流制限回路１３０ａ，１３０ｂが存する場合の平滑コンデンサ６０ａ，６０ｂの放電時間は、仮に電流制限回路１３０ａ，１３０ｂが存しない場合に過電流が流れて放電される場合に比して２０ｍｓｅｃ〜３０ｍｓｅｃ程度長くなるに過ぎない。第１実施例では、このような平滑コンデンサ６０ａ，６０ｂの放電時間を鑑みて、ＡＶＤＤの供給終了後のＤＶＤＤの供給終了タイミング（所定のタイミング）が設定されている。
【００３５】
なお、第１実施例では、スイッチ制御回路１５０が信号ＳＷ１を出力しているが、これは平滑コンデンサ６０ａ，６０ｂの放電に伴う放電スイッチ１４０ａ，１４０ｂの動作制御の具体例であってこれに限られるものでない。例えば、信号ＳＷ１の供給源をシステムドライバ１００の外部の構成としてもよい。当該外部の構成は、例えばＰＣＢ５０に接続された外部の機器である。
【００３６】
（比較例１）
図５は、第１実施例に対する比較例（比較例１）の構成を示す図である。図５に示すように、比較例１としての表示装置３００は、液晶パネル３１０と、ＦＰＣ３４０と、ＰＣＢ３５０とを備える。
【００３７】
液晶パネル３１０は、例えば二つのガラス基板を張り合わせて形成されたパネルである。液晶パネル３１０には、液晶表示デバイス３２０と、複数種類のドライバ回路（ゲートドライバ４０１及びソースドライバ４０２）とが実装されている。複数種類のドライバ回路は、液晶表示デバイス３２０に接続されている。
【００３８】
ＦＰＣ３４０は、液晶パネル３１０に形成された配線とＰＣＢ３５０に形成された配線とを接続する。
【００３９】
ＰＣＢ３５０は、ソースドライバ４０２に供給されるＡＶＤＤ及びＤＶＤＤの電力供給線３５１ａ，３５１ｂを有する。電力供給線３５１ａは、外部のアナログ電源（ＡＶＤＤ）が接続される配線である。電力供給線３５１ｂは、外部のデジタル電源（ＤＶＤＤ）が接続される配線である。電力供給線３５１ａ，３５１ｂは、ＦＰＣ３４０を介して液晶パネル３１０に設けられた配線と接続されている。また、液晶パネル３１０に設けられた配線のうちＤＶＤＤの電力供給線３５１ｂと接続された配線は、分岐してゲートドライバ４０１及びソースドライバ４０２の両方に接続されている。
【００４０】
また、ＰＣＢ３５０は、ＤＣ／ＤＣコンバータ４１１，４１２を備える。ＤＣ／ＤＣコンバータ４１１，４１２は、例えばチャージポンプ回路である。ＤＣ／ＤＣコンバータ４１１，４１２は、ＰＣＢ３５０に接続された外部のＡＶＤＤ及びＤＶＤＤから供給される電力に基づいて、ＶＧＨ、ＶＧＬを出力する。ＤＣ／ＤＣコンバータ４１１，４１２から出力される電圧は、ゲートドライバ４０１に供給される。具体的には、ＤＣ／ＤＣコンバータ４１１，４１２の各々からゲートドライバ４０１へ電圧を出力するための出力線４２０ａ，４２０ｂの各々は、ＦＰＣ３４０を介して液晶パネル３１０に設けられたゲートドライバ４０１への配線と接続されている。なお、出力線４２０ａは、ＤＣ／ＤＣコンバータ４１１に接続されたＶＧＨの出力線である。出力線４２０ｂは、ＤＣ／ＤＣコンバータ４１２に接続されたＶＧＬの出力線である。出力線４２０ａ，４２０ｂには、ＰＣＢ３５０に設けられた平滑コンデンサ３６０ａ，３６０ｂが個別に接続されている。平滑コンデンサ３６０ａは、出力線４２０ａから分岐した二つの分岐線のうち一方の分岐線４２１ａに接続される。平滑コンデンサ３６０ｂは、出力線４２０ｂから分岐した二つの分岐線のうち一方の分岐線４２１ｂに接続される。また、二つの分岐線のうち他方の分岐線４２２ａ，４２２ｂの末端４２２Ａａ，４２２Ａｂは、接地されている。また、他方の分岐線４２２ａ，４２２ｂには、分岐点と末端４２２Ａａ，４２２Ａｂとの間にスイッチ４４０ａ，４４０ｂが設けられている。スイッチ４４０ａ，４４０ｂは、スイッチ動作信号ＳＷに応じて開閉が切り替わる。なお、他方の分岐線４２２ａは、出力線４２０ａの分岐線である。末端４２２Ａａは、他方の分岐線４２２ａの末端である。スイッチ４４０ａは、他方の分岐線４２２ａに設けられる。他方の分岐線４２２ｂは、出力線４２０ｂの分岐線である。末端４２２Ａｂは、他方の分岐線４２２ｂの末端である。スイッチ４４０ｂは、他方の分岐線４２２ｂに設けられる。
【００４１】
次に、図４を参照して、第１実施例における各種の電力供給のＯＮ／ＯＦＦシーケンスについて説明する。図４に示すように、表示装置１の動作の開始に伴い、ＤＶＤＤ、ＡＶＤＤ、ＶＧＨ及びＶＧＬの順に電力供給が開始される。また、表示装置１の動作の終了に伴い、ＡＶＤＤ、ＶＧＨ及びＶＧＬ、ＤＶＤＤの順に電力供給が終了される。ＡＶＤＤの供給が終了した後、ＶＧＨ及びＶＧＬの供給が終了する。ここで、ＶＧＨの出力線４２０ａ及びＶＧＬの出力線４２０ｂには平滑コンデンサ３６０ａ，３６０ｂが設けられている。このため、平滑コンデンサ３６０ａ，３６０ｂに蓄積された電荷の放出が終了するまでの間、ＶＧＨの出力線４２０ａ及びＶＧＬの出力線４２０ｂを介してゲートドライバ４０１に平滑コンデンサ３６０ａ，３６０ｂから放出される電荷による電圧が印加されることになる。上記の通り、ＶＧＨ及びＶＧＬの供給が終了しないとＤＶＤＤの供給を終了することができないことから、平滑コンデンサ３６０ａ，３６０ｂの放電時間（図４に示す立下り期間Ｔ１）が長いほど表示装置３００の動作の終了にかかる時間が長くなることになる。そこで、表示デバイスの動作終了に伴い、スイッチ４４０ａ，４４０ｂにより平滑コンデンサと接地された他方の分岐線４２２ａ，４２２ｂとを接続することで平滑コンデンサの放電をより早めることが行われる。図５のように、スイッチ４４０ａ，４４０ｂ及び接地された他方の分岐線４２２ａ，４２２ｂがＰＣＢ３５０にある場合、コンデンサの放電電流はＰＣＢ３５０内で流れる。このため、比較例１では、ゲートドライバ４０１と液晶パネル３１０との接続部及び液晶パネル３１０とＦＰＣ３４０との接続部の劣化に係る問題は生じない。しかしながら、比較例１は、ゲートドライバ４０１とソースドライバ４０２とが個別に設けられているので、液晶パネル３１０における実装面積及びコストの面で第１実施例に比して劣る。
【００４２】
（比較例２）
図６は、第１実施例に対する比較例（比較例２）の構成を示す図である。図６に示すように、一種類のドライバ回路（システムドライバ４１０）は、二つの電圧（ＶＧＨ、ＶＧＬ）を出力するＤＣ／ＤＣコンバータ４１１，４１２を内蔵する。また、システムドライバ４１０は、他方の分岐線４２２ａ，４２２ｂ及びスイッチ４４０ａ，４４０ｂを内蔵する。また、システムドライバ４１０は、スイッチ制御回路４５０を内蔵する。スイッチ制御回路４５０は、ＡＶＤＤの供給終了を検知してスイッチ動作信号ＳＷをスイッチ４４０ａ，４４０ｂに出力する。このように、より多くの構成を一種類のドライバ回路に内蔵することで、比較例１に比してコストをより低くすることができる。また、各構成の実装面積をより小さくすることができる。
【００４３】
ガラス基板である液晶パネル３１０Ａに対するシステムドライバ４１０の装着には、ＣＯＧが採用される。液晶パネル３１０ＡとＦＰＣ３４０との接続には、ＦＯＧが採用される。ＣＯＧ及びＦＯＧでは、液晶パネル３１０Ａに対するシステムドライバ４１０及びＦＰＣ３４０の装着にＡＣＦが用いられる。
【００４４】
しかしながら、図６に示す構成の場合、スイッチ４４０ａ，４４０ｂにより平滑コンデンサ３６０ａ，３６０ｂと接地された他方の分岐線４２２ａ，４２２ｂとが接続されると、平滑コンデンサ３６０ａ，３６０ｂの放電に伴い液晶パネル３１０Ａとシステムドライバ４１０との接続部４１３ａ，４１３ｂ及び液晶パネル３１０ＡとＦＰＣ３４０との接続部４１４ａ，４１４ｂに過電流（数百ｍＡ）が流れる。この過電流は、ＣＯＧ及びＦＯＧに用いられたＡＣＦを熱損傷させる場合がある。ＡＣＦの熱損傷による接続部４１３ａ，４１３ｂ，４１４ａ，４１４ｂの劣化が生じると、表示装置は、表示不良を生じることがある。一度の表示装置の動作終了で熱損傷が生じなくとも、表示装置が動作終了するたびにこの過電流が生じる。このため、平滑コンデンサ３６０ａ，３６０ｂの放電に伴う液晶パネル３１０Ａとシステムドライバ４１０との接続部４１３ａ，４１３ｂ及び液晶パネル３１０ＡとＦＰＣ３４０との接続部４１４ａ，４１４ｂの劣化はより進行しやすくなる。なお、接続部４１３ａ，４１４ａは、出力線４２０ａと平滑コンデンサ３６０ａとの間に介在する接続部である。接続部４１３ｂ，４１４ｂは、出力線４２０ｂと平滑コンデンサ３６０ａとの間に介在する接続部である。
【００４５】
以上説明したように、第１実施例によれば、電流制限回路１３０ａ，１３０ｂが、放電部（例えば接地された他方の分岐線１２２ａ，１２２ｂの末端１２２Ａａ，１２２Ａｂ）と平滑コンデンサ６０ａ，６０ｂとの間に介在し、切替部（例えば放電スイッチ１４０ａ，１４０ｂ）により平滑コンデンサ６０ａ，６０ｂと放電部とが接続された場合に平滑コンデンサ６０ａ，６０ｂと放電部との間に流れる放電電流の電流値を所定電流値以下にする。このため、平滑コンデンサ６０ａ，６０ｂの放電に伴う電流は、基板（例えば液晶パネル１０）とドライバ回路（例えばシステムドライバ１００）との接続部（例えば第１接続部１３ａ，１３ｂ）及び基板とフレキシブルケーブル（例えばＦＰＣ４０）との接続部（例えば第２接続部１４ａ，１４ｂ）に熱損傷を生じさせるほどの発熱をこれらの接続部に生じさせない。このため、平滑コンデンサ６０ａ，６０ｂの放電に伴う基板とドライバ回路との接続部及び基板とフレキシブルケーブルとの接続部の劣化を抑制することができる。
【００４６】
また、電流制限回路１３０ａ，１３０ｂは、放電電流の電流値を所定のタイミング前に平滑コンデンサ６０ａ，６０ｂの放電が完了する電流値にする。このため、平滑コンデンサ６０ａ，６０ｂの放電のためにデジタル電源（ＤＶＤＤ）の電力供給終了タイミングを必要以上に遅らせることがない。このように、第１実施例によれば、十分に高速に表示装置１の動作を終了させることができる。
【００４７】
また、放電部は、接地されている。このため、平滑コンデンサ６０ａ，６０ｂに蓄積された電荷をより確実に放電させることができる。
【００４８】
また、ドライバ回路は、異方性導電膜により基板上に装着される。このため、ドライバ回路から延出される複数の電極間の間隔が狭くても短絡を生じさせずに電子部品を実装することができる。
【００４９】
また、フレキシブルケーブルは、異方性導電膜により基板上に装着される。このため、フレキシブルケーブルの複数の配線間の間隔が狭くても短絡を生じさせずに電子部品を実装することができる。
【００５０】
＜２．第２実施例＞
図７は、本発明の表示装置の別の一実施形態（第２実施例）の具体的構成例を示す図である。第２実施例に係る説明において、第１実施例と同様の構成については、同じ符号を付して説明を省略することがある。
【００５１】
第２実施例において、ＶＧＨを出力するＤＣ／ＤＣコンバータ１１１の出力線１２０ａと平滑コンデンサ６０ａとを接続する一方の分岐線１２１ａは、出力線１２０ａ側で二又に分かれている。具体的には、システムドライバ１００は、図７に示すように、出力線１２０ａ側から延設されて電流制限回路１３０ｃが設けられていない第１分岐線１２１Ａと、出力線１２０ａ側から延設されて電流制限回路１３０ｃが設けられている第２分岐線１２１Ｂとを有する。第１分岐線１２１Ａと第２分岐線１２１Ｂは、スイッチ（ＡＬＬＯＮスイッチ１２１Ｄ）を介して、平滑コンデンサ６０ａ，６０ｂが接続された集合分岐線１２１Ｃに選択的に接続される。すなわち、平滑コンデンサ６０ａ，６０ｂは、第１分岐線１２１Ａ又は第２分岐線１２１Ｂのいずれかを介してＶＧＨの出力線１２０ａと接続される。また、図７に示すように、第２実施例において、ＶＧＨの出力線１２０ａに接続される他方の分岐線１２２ａは、システムドライバ１００内の配線であって、第２分岐線１２１Ｂに設けられた電流制限回路１３０ｃよりも平滑コンデンサ６０ａ，６０ｂ側の配線（例えば集合分岐線１２１Ｃ）から分岐している。第２実施例は、他方の分岐線１２２ａ，１２２ｂに設けられた電流制限回路１３０ａ，１３０ｂと、第２分岐線１２１Ｂに設けられた電流制限回路１３０ｃを備える。
【００５２】
液晶表示デバイス２０に設けられた複数の走査線ＧＣＬの各々は、ＶＧＨの出力線１２０ａ又はＶＧＬの出力線１２０ｂのいずれかに接続される。具体的には、例えば図７に示すように、走査線ＧＣＬとＶＧＨの出力線１２０ａ及びＶＧＬの出力線１２０ｂとの間には、走査線ＧＣＬをＶＧＨの出力線１２０ａ又はＶＧＬの出力線１２０ｂのいずれかに接続するスイッチ（走査スイッチ１２５）が設けられる。走査スイッチ１２５は、複数の走査線ＧＣＬの各々に対して個別に設けられる。液晶表示デバイス２０に画像が表示される場合、スイッチ制御回路１５０は、複数の走査線ＧＣＬのうちいずれか走査線ＧＣＬをＶＧＨの出力線１２０ａに接続（ＯＮ）し、他の走査線ＧＣＬをＶＧＬの出力線１２０ｂに接続（ＯＦＦ）するように走査スイッチ１２５を動作させる。これにより、ＶＧＨの出力線１２０ａに接続された走査線ＧＣＬに走査信号Ｖｓｃａｎとして機能する電圧ＶＧＨが印加される。すなわち、この走査線ＧＣＬに接続された一行（一水平走査方向）の画素に対して信号線ＳＧＬからの信号入力が可能になる。システムドライバ１００は、スイッチ制御回路１５０で所定の周期で複数の走査線ＧＣＬを順次ＯＮ／ＯＦＦするとともに、信号線ＳＧＬに対して画素の色値に対応した信号（画素信号Ｖｐｉｘ）を出力することで液晶表示デバイス２０に画像を表示させる。ここで、走査スイッチ１２５は、第１電圧出力部の出力線１２０ａ又は第２電圧出力部の出力線１２０ｂのいずれか一方を表示デバイス（例えば液晶表示デバイス２０）の複数の走査線ＧＣＬの各々に接続する選択部として機能する。
【００５３】
なお、図３では図示を省略しているが、走査スイッチ１２５は、第１実施例のシステムドライバ１００も同様に備えている。すなわち、第１実施例においても、画像の表示に際してスイッチ制御回路１５０により同様の動作制御が行われている。
【００５４】
第２実施例では、さらに、全ての走査線ＧＣＬをＶＧＨの出力線１２０ａに接続する機能（ＡＬＬＯＮ機能）を備えている。具体的には、第２実施例のシステムドライバ１００は、ＡＬＬＯＮ発生回路１６０と、ＡＬＬＯＮ動作切替部１６１とを備える。
【００５５】
ＡＬＬＯＮ発生回路１６０は、ＡＬＬＯＮ信号をスイッチ制御回路１５０に出力する。また、ＡＬＬＯＮ発生回路１６０は、例えば図７に示すように、ＤＣ／ＤＣコンバータ１１１にＡＶＤＤを供給する配線から分岐された配線と接続される。ＡＬＬＯＮ発生回路１６０は、この配線を介したＡＶＤＤの供給の終了に応じてＡＬＬＯＮ信号のハイ（Ｈｉｇｈ）／ロウ（Ｌｏｗ）を切り替える。
【００５６】
ＡＬＬＯＮ動作切替部１６１は、ＡＬＬＯＮ機能のＯＮ／ＯＦＦを切り替える。具体的には、ＡＬＬＯＮ動作切替部１６１は、例えばＡＬＬＯＮ機能を使用するか否かを示す２値（０又は１）のいずれか一方の値を記録及び保持するレジスタである。ＡＬＬＯＮ発生回路１６０は、ＡＬＬＯＮ動作切替部１６１に記録された値に応じた信号をスイッチ制御回路１５０に出力する。第２実施例では、ＡＬＬＯＮ機能を使用することを示す値を「１」とし、ＡＬＬＯＮ機能を使用しないことを示す値を「０」としているが、これは一例であってこれに限られるものでなく、適宜変更可能である。
【００５７】
次に、ＡＬＬＯＮ機能が使用される場合の表示装置の各部の動作について、図８を参照して説明する。図８は、ＡＬＬＯＮ機能が使用される場合における各種の電力供給のＯＮ／ＯＦＦシーケンス及びＡＬＬＯＮ信号のハイ／ロウの一例を示す図である。図８では、ＡＬＬＯＮ信号がハイになる期間を、符号ＡＬＬＯＮが付された破線で示している。図８に示すように、第１実施例と同様に、表示装置の動作の開始に伴い、ＤＶＤＤ、ＡＶＤＤ、ＶＧＨ及びＶＧＬの順に電力供給が開始される。ＶＧＨ及びＶＧＬの供給開始に伴い、ＶＧＨ及びＶＧＬを供給するＤＣ／ＤＣコンバータ１１１，１１２の各々の出力線１２０ａ，１２０ｂに接続された平滑コンデンサ６０ａ，６０ｂに電荷が蓄積される。ここで、スイッチ制御回路１５０は、ＡＬＬＯＮスイッチ１２１Ｄにより、表示装置の動作開始時に平滑コンデンサ６０ａ，６０ｂと第１分岐線１２１Ａとを接続する状態としている。また、ＡＬＬＯＮ機能が使用される場合、ＤＶＤＤの供給開始後、表示装置による画像の表示が開始される前のタイミング（例えば、ＡＶＤＤの供給開始に応じたタイミング）に、ＡＬＬＯＮ発生回路１６０は、ＡＬＬＯＮ信号をハイにする。第２実施例では、ＡＬＬＯＮ機能が使用される場合、スイッチ制御回路１５０は、ＡＬＬＯＮ信号がハイであるとき、液晶表示デバイス２０による画像の表示において、複数の走査線ＧＣＬのうちいずれか走査線ＧＣＬをＶＧＨの出力線１２０ａに接続（ＯＮ）し、他の走査線ＧＣＬをＶＧＬの出力線１２０ｂに接続（ＯＦＦ）する通常の動作制御を行う。
【００５８】
表示装置の動作の終了に伴い、第１実施例と同様に、ＡＶＤＤ、ＶＧＨ及びＶＧＬ、ＤＶＤＤの順に電力供給が終了される。ＡＶＤＤの供給終了に伴い、ＡＬＬＯＮ発生回路１６０は、ＡＬＬＯＮ信号をロウにする。ＡＬＬＯＮ信号がロウになると、スイッチ制御回路１５０は、全ての走査線ＧＣＬとＶＧＨの出力線１２０ａとを接続するように走査スイッチ１２５を動作（ＡＬＬＯＮ動作）させるとともに、信号ＳＷ２によりＡＬＬＯＮスイッチ１２１Ｄを動作させて、第１分岐線１２１Ａを介して接続されていた平滑コンデンサ６０ａ，６０ｂの接続先を第２分岐線１２１Ｂに切り替える。すなわち、全ての走査線ＧＣＬがＶＧＨの出力線１２０ａに接続される時、第２分岐線１２１Ｂに設けられた電流制限回路１３０ｃは、平滑コンデンサ６０ａ，６０ｂとＶＧＨの出力線１２０ａとの間に介在する。
【００５９】
ＡＬＬＯＮ動作により全ての走査線ＧＣＬに走査信号Ｖｓｃａｎが出力されることで、全ての画素（全ての副画素）の液晶素子と信号線ＳＧＬとが導通する。これにより、表示装置の動作の終了時に、液晶素子を自然放電させる場合に比して、より高速に液晶素子を信号線ＳＧＬから放電させることができる。このため、表示装置の動作の終了後に液晶素子の電荷が残存し続けた場合に生じる液晶表示デバイス２０の残像をより高速に抑制することができる。
【００６０】
ＡＬＬＯＮ動作時、全ての走査線ＧＣＬとＶＧＨの出力線１２０ａとが接続される。具体的には、例えばスイッチ制御回路１５０が信号ＳＷ２を走査スイッチ１２５に出力し、走査スイッチ１２５に全ての走査線ＧＣＬとＶＧＨの出力線１２０ａとを接続させる。これは、通常の表示動作時に走査線ＧＣＬしか接続されていない状態のＶＧＨの出力線１２０ａを基準とした場合に、ＡＬＬＯＮ動作時に電流が流れる対象が走査線ＧＣＬの数に応じて増加するということである。このため、ＶＧＨの出力線１２０ａの電圧は、全ての走査線ＧＣＬに電流が流れることで、通常の表示動作時に比して低下する。これに伴い、ＶＧＨの出力線１２０ａに接続されている平滑コンデンサ６０ａ，６０ｂの電荷が全ての走査線ＧＣＬに放電される。このように、ＡＬＬＯＮ動作において、全ての走査線ＧＣＬは、平滑コンデンサ６０ａ，６０ｂが接続された電圧出力部からの出力線（ＶＧＨの出力線１２０ａ）に接続されて平滑コンデンサ６０ａ，６０ｂの電荷が放電される放電部として機能する。また、ＡＬＬＯＮスイッチ１２１Ｄは、複数の走査線ＧＣＬの全てが第１電圧出力部の出力線に接続された場合に平滑コンデンサ６０ａ，６０ｂと放電部（全ての走査線ＧＣＬ）とを接続する切替部として機能する。
【００６１】
上記の通り、ＡＬＬＯＮ動作時にはこの平滑コンデンサ６０ａ，６０ｂと第２分岐線１２１Ｂとが接続される。具体的には、例えばスイッチ制御回路１５０が信号ＳＷ３をＡＬＬＯＮスイッチ１２１Ｄに出力し、ＡＬＬＯＮスイッチ１２１Ｄに第２分岐線１２１Ｂと集合分岐線１２１Ｃとを接続させる。このため、この平滑コンデンサ６０ａ，６０ｂからの放電電流は、第２分岐線１２１Ｂに設けられた電流制限回路１３０ｃにより制限される。第２分岐線１２１Ｂに設けられた電流制限回路１３０ｃにより、ＶＧＨの出力線１２０ａと平滑コンデンサ６０ａ，６０ｂとの間の配線を流れる放電電流の電流値が所定電流値以下に抑えられる。すなわち、ＡＬＬＯＮ動作時に発生する平滑コンデンサ６０ａ，６０ｂの放電に伴う第１接続部１３ａ，１３ｂ及び第２接続部１４ａ，１４ｂの劣化を抑制することができる。
【００６２】
また、例えば出力電圧が３０ＶであるＶＧＨの出力線１２０ａに設けられた平滑コンデンサ６０ａ，６０ｂの容量が１μＦであり、電流制限回路１３０ａ，１３０ｂの電気抵抗値が１０ｋΩである場合、平滑コンデンサ６０ａ，６０ｂは、放電電流を最大３ｍＡ程度に抑えられて、時定数１０ｍｓｅｃ（＝１０ｋΩ×１μＦ）で放電される。この放電速度であれば、液晶表示デバイス２０の残像は、ヒトの目で視認できない速さで抑制される。なお、残像が十分に解消される時間（例えば図８に示すＡＬＬＯＮ動作期間Ｔ２）の経過後、スイッチ制御回路１５０は、ＡＬＬＯＮ動作を終了して複数の走査線ＧＣＬのうちいずれか走査線ＧＣＬ（例えば画像の表示時に最初に画素信号Ｖｐｉｘが出力される対象となる行の走査線ＧＣＬ）とＶＧＨの出力線１２０ａとを接続し、他の走査線ＧＣＬをＶＧＬとＶＧＬの出力線１２０ｂとを接続するように走査スイッチ１２５を動作させるようにしてもよい。
【００６３】
また、第２実施例におけるスイッチ制御回路１５０は、ＡＶＤＤ立下り動作に伴い、第１実施例と同様の信号ＳＷ１を出力する。放電スイッチ１４０ａ，１４０ｂは、信号ＳＷ１の出力に応じて電流制限回路１３０ａ，１３０ｂが設けられた他方の分岐線１２２ａ，１２２ｂの末端１２２Ａａ，１２２Ａｂ側と平滑コンデンサ６０ａ，６０ｂとを接続する。これにより、平滑コンデンサ６０ａ，６０ｂの放電電流が他方の分岐線１２２ａ，１２２ｂの末端１２２Ａａ，１２２Ａｂ（接地）と平滑コンデンサ６０ａ，６０ｂとの間の配線に流れるが、第１実施例と同様に、他方の分岐線１２２ａ，１２２ｂの末端１２２Ａａ，１２２Ａｂ（接地）と平滑コンデンサ６０ａ，６０ｂとの間の配線には電流制限回路１３０ａ，１３０ｂが設けられている。このため、電流制限回路１３０ａ，１３０ｂにより放電電流の電流値が所定電流値以下に抑えられる。よって、平滑コンデンサ６０ａ，６０ｂの放電に伴う第１接続部１３ａ，１３ｂ及び第２接続部１４ａ，１４ｂの劣化を抑制することができる。このように、第２実施例における放電スイッチ１４０ａ，１４０ｂは、複数の走査線ＧＣＬの全てが第１電圧出力部の出力線に接続された場合に平滑コンデンサ６０ａ，６０ｂと放電部（接地された他方の分岐線１２２ａ，１２２ｂの末端１２２Ａａ，１２２Ａｂ）とを接続する切替部として機能する。
【００６４】
ＡＬＬＯＮ機能は、使用しないこともできる。具体的には、液晶素子の自然放電が迅速かつ十分に行われる液晶表示デバイス２０は、ＡＬＬＯＮ動作が行われなくとも残像に関する問題が発生しない。このため、このような液晶表示デバイス２０では、ＡＬＬＯＮ動作切替部１６１に保持される値を「０」にすることで、ＡＬＬＯＮ動作を省略することができる。この場合、ＡＬＬＯＮ信号のハイ／ロウの切り替わりに伴う走査スイッチ１２５の動作変更は生じない。液晶素子の放電特性には個体差が生じ得る。このため、システムドライバ１００にＡＬＬＯＮ動作切替部１６１を設けることで、液晶表示デバイス２０の各々の個体差により生じる残像発生の度合いのばらつきに応じてＡＬＬＯＮ動作を行うか否かを各液晶表示デバイス２０に対して個別に設定することができる。
【００６５】
なお、第２実施例は、ＡＬＬＯＮ信号がハイである場合に画像の表示に係る走査スイッチ１２５の動作制御が行われ、ＡＬＬＯＮ信号がロウになるとＡＬＬＯＮ動作が行われる構成であるが、これはＡＬＬＯＮ機能に関する具体的構成の一例であって、これに限られるものでない。例えば、ＡＶＤＤの電力供給が終了されたタイミングでＡＬＬＯＮ動作を行わせるための信号をハイにしてスイッチ制御回路１５０に出力するようにしてもよい。
【００６６】
また、ＡＬＬＯＮ信号の供給源をシステムドライバ１００の外部の構成としてもよい。当該外部の構成は、例えばＰＣＢ５０に接続された外部の機器である。
【００６７】
（比較例）
図９は、第２実施例に対する比較例の構成を示す図である。比較例におけるシステムドライバ２００は、ＡＬＬＯＮ動作を行うにも関わらず、平滑コンデンサ６０ａ，６０ｂとＶＧＨの出力線１２０ａとが電流制限回路１３０ｃを介さず直結されている。比較例の構成でＡＬＬＯＮ動作が行われた場合、全ての走査線ＧＣＬに電流が流れることでＶＧＨの出力線１２０ａの電圧が低下するため、平滑コンデンサ６０ａ，６０ｂの電荷が放電される。比較例では、平滑コンデンサ６０ａ，６０ｂの放電電流の流路に電流制限回路１３０ｃが存しないことから、ＡＬＬＯＮ動作に伴う平滑コンデンサ６０ａ，６０ｂの放電により、第１接続部１３ａ，１３ｂ及び第２接続部１４ａ，１４ｂに過電流（数百ｍＡ）が流れる。このため、比較例の場合、平滑コンデンサ６０ａ，６０ｂの放電に伴い、第１接続部１３ａ，１３ｂ及び第２接続部１４ａ，１４ｂの劣化はより進行しやすくなる。
【００６８】
以上、第２実施例によれば、複数の走査線ＧＣＬの全てが第１電圧出力部（例えばＶＧＨの出力電圧を出力するＤＣ／ＤＣコンバータ１１１）の出力線１２０ａに接続された場合に平滑コンデンサ６０ａ，６０ｂと放電部とを接続する。このため、表示装置の動作の終了時に液晶表示デバイス２０の残像をより確実に抑制することができる。また、残像の抑制に伴い生じる平滑コンデンサ６０ａ，６０ｂの放電に伴う基板とドライバ回路との接続部（例えば第１接続部１３ａ，１３ｂ）及び基板とフレキシブルケーブルとの接続部（例えば第２接続部１４ａ，１４ｂ）の劣化を抑制することができる。
【００６９】
＜３．適用例＞
次に、図１０〜図１６を参照して、上記の各実施例で説明した表示装置の適用例について説明する。図１０〜図１６は、上記の各実施例に係る表示装置を適用する電子機器の一例を示す図である。上記の各実施例に係る表示装置は、テレビジョン装置、デジタルカメラ、ノート型パーソナルコンピュータ、携帯電話等の携帯端末装置あるいはビデオカメラなどのあらゆる分野の電子機器に適用することが可能である。言い換えると、上記の各実施例に係る表示装置は、外部から入力された映像信号あるいは内部で生成した映像信号を、画像あるいは映像として表示するあらゆる分野の電子機器に適用することが可能である。
【００７０】
（適用例１）
図１０に示す電子機器は、上記の各実施例のいずれかに係る表示装置が適用されるテレビジョン装置である。このテレビジョン装置は、例えば、フロントパネル５１１及びフィルターガラス５１２を含む映像表示画面部５１０を有しており、この映像表示画面部５１０は、上記の各実施例のいずれかに係る表示装置である。
【００７１】
（適用例２）
図１１及び図１２に示す電子機器は、上記の各実施例のいずれかに係る表示装置が適用されるデジタルカメラである。このデジタルカメラは、例えば、フラッシュ用の発光部５２１、表示部５２２、メニュースイッチ５２３及びシャッターボタン５２４を有しており、その表示部５２２は、上記の各実施例のいずれかに係る表示装置である。図１１に示すように、このデジタルカメラは、レンズカバー５２５を有しており、レンズカバー５２５をスライドさせることで撮影レンズが現れる。デジタルカメラは、その撮影レンズから入射する光を撮像することで、デジタル写真を撮影することができる。
【００７２】
（適用例３）
図１３に示す電子機器は、上記の各実施例のいずれかに係る表示装置が適用されるビデオカメラの外観を表すものである。このビデオカメラは、例えば、本体部５３１、この本体部５３１の前方側面に設けられた被写体撮影用のレンズ５３２、撮影時のスタート／ストップスイッチ５３３及び表示部５３４を有している。そして、表示部５３４は、上記の各実施例のいずれかに係る表示装置である。
【００７３】
（適用例４）
図１４に示す電子機器は、上記の各実施例のいずれかに係る表示装置が適用されるノート型パーソナルコンピュータである。このノート型パーソナルコンピュータは、例えば、本体５４１、文字等の入力操作のためのキーボード５４２及び画像を表示する表示部５４３を有しており、表示部５４３は、上記の各実施例のいずれかに係る表示装置である。
【００７４】
（適用例５）
図１５，図１６に示す電子機器は、上記の各実施例のいずれかに係る表示装置が適用される携帯電話機である。この携帯電話機は、例えば、上側筐体５５１と下側筐体５５２とを連結部（ヒンジ部）５５３で連結したものであり、ディスプレイ５５４、サブディスプレイ５５５、ピクチャーライト５５６及びカメラ５５７を有している。そのディスプレイ５５４又はサブディスプレイ５５５は、上記の各実施例のいずれかに係る表示装置である。
【００７５】
＜４．その他＞
上記の実施例においては、開示例として液晶表示デバイスの場合を例示したが、その他の適用例として、有機ＥＬ表示デバイス、その他の自発光型表示デバイス、あるいは電気泳動素子等を有する電子ペーパー型表示デバイス等、あらゆるマトリクス駆動方式の表示デバイスが挙げられる。また、中小型から大型まで、特に限定することなく適用が可能であることは言うまでもない。
【００７６】
また、本実施形態において述べた態様によりもたらされる他の作用効果について本明細書記載から明らかなもの、又は当業者において適宜想到し得るものについては、当然に本発明によりもたらされるものと解される。
【符号の説明】
【００７７】
１      表示装置
１０    液晶パネル
１１ａ，１１ｂ，１２ａ，１２ｂ  接続部
１３ａ，１３ｂ  第１接続部
１４ａ，１４ｂ  第２接続部
２０    液晶表示デバイス
４０    ＦＰＣ
５０    ＰＣＢ
６０ａ，６０ｂ    平滑コンデンサ
１００  システムドライバ
１１１，１１２  ＤＣ／ＤＣコンバータ
１２０ａ，１２０ｂ  出力線
１２５  走査スイッチ
１３０ａ，１３０ｂ，１３０ｃ  電流制限回路
１４０ａ，１４０ｂ  放電スイッチ
１５０  スイッチ制御回路
１６０  ＡＬＬＯＮ発生回路
ＧＣＬ  走査線
【図１】
2015210422.tif 000003
【図２】
2015210422.tif 000004
【図３】
2015210422.tif 000005
【図４】
2015210422.tif 000006
【図５】
2015210422.tif 000007
【図６】
2015210422.tif 000008
【図７】
2015210422.tif 000009
【図８】
2015210422.tif 000010
【図９】
2015210422.tif 000011
【図１０】
2015210422.tif 000012
【図１１】
2015210422.tif 000013
【図１２】
2015210422.tif 000014
【図１３】
2015210422.tif 000015
【図１４】
2015210422.tif 000016
【図１５】
2015210422.tif 000017
【図１６】
2015210422.tif 000018